(57)【要約】【課題】携帯電話機からのビデオ予約等のリモコンデータ要求時に機器情報の設定を省略可能な赤外線リモコンデータ作成装置を提供する。【解決手段】サーバ３は携帯電話機からリモコンデータが要求されると（３２１）、電話番号情報をキーワードにして携帯電話情報記憶部３２に登録されている機器情報を取得し（３２２，３２３）、リモコン信号の詳細なデータ構成をリモコンデータ部３４から取得する（３２４，３２５）。サーバ３は番組データ部３３から番組データを取得し（３２６，３２７）、それぞれ取得した機器情報、リモコン信号の詳細なデータ構成、番組データを基にリモコンデータを作成して携帯電話機に送信する（３２８）。【選択図】      図５
2004320391.tif 000002
【特許請求の範囲】
【請求項１】
携帯端末に搭載されたリモートコントロール機能へのリモートコントロールデータを作成するリモートコントロールデータ作成装置であって、前記リモートコントロール機能によるリモートコントロール操作が可能な対象機器の機器情報を前記携帯端末の識別情報に関連付けてデータベースに登録する手段を有することを特徴とするリモートコントロールデータ作成装置。
【請求項２】
前記携帯端末からの前記リモートコントロールデータの要求時に当該携帯端末の識別情報を基に前記データベースから前記対象機器の機器情報を取得する手段と、その取得した機器情報に基づいて前記リモートコントロールデータを作成する手段とを含むことを特徴とする請求項１記載のリモートコントロールデータ作成装置。
【請求項３】
前記リモートコントロール機能は、赤外線にて前記対象機器のリモートコントロール操作を行うことを特徴とする請求項１または請求項２記載のリモートコントロールデータ作成装置。
【請求項４】
前記携帯端末の識別情報に番号情報を付加することで一つの識別情報に対して前記機器情報を複数関連付けることを特徴とする請求項１から請求項３のいずれか記載のリモートコントロールデータ作成装置。
【請求項５】
前記携帯端末は携帯電話機であることを特徴とする請求項１から請求項４のいずれか記載のリモートコントロールデータ作成装置。
【請求項６】
携帯端末に搭載されたリモートコントロール機能へのリモートコントロールデータを作成するリモートコントロールデータ作成装置のリモートコントロールデータ作成方法であって、前記リモートコントロールデータ作成装置側に、前記リモートコントロール機能によるリモートコントロール操作が可能な対象機器の機器情報を前記携帯端末の識別情報に関連付けてデータベースに登録する処理を有することを特徴とするリモートコントロールデータ作成方法。
【請求項７】
前記リモートコントロールデータ作成装置側に、前記携帯端末からの前記リモートコントロールデータの要求時に当該携帯端末の識別情報を基に前記データベースから前記対象機器の機器情報を取得する処理と、その取得した機器情報に基づいて前記リモートコントロールデータを作成する処理とを含むことを特徴とする請求項６記載のリモートコントロールデータ作成方法。
【請求項８】
前記リモートコントロール機能は、赤外線にて前記対象機器のリモートコントロール操作を行うことを特徴とする請求項６または請求項７記載のリモートコントロールデータ作成方法。
【請求項９】
前記携帯端末の識別情報に番号情報を付加することで一つの識別情報に対して前記機器情報を複数関連付けることを特徴とする請求項６から請求項８のいずれか記載のリモートコントロールデータ作成方法。
【請求項１０】
前記携帯端末は、作成された前記リモートコントロールデータの受信時に当該リモートコントロールデータに基づいた信号を前記対象機器に即座に送信することを特徴とする請求項６から請求項９のいずれか記載のリモートコントロールデータ作成方法。
【請求項１１】
前記携帯端末は携帯電話機であることを特徴とする請求項６から請求項１０のいずれか記載のリモートコントロールデータ作成装置。
【発明の詳細な説明】
【０００１】
【発明の属する技術分野】
本発明は赤外線リモートコントロールデータ作成装置及びそれに用いる赤外線リモートコントロールデータ作成方法に関し、特にテレビやビデオ等を制御する赤外線リモートコントロール機能が搭載された携帯電話機への赤外線リモートコントロールデータの作成に関する。
【０００２】
【従来の技術】
現在、携帯電話機においては、テレビやビデオ等を制御する赤外線リモートコントロール（以下、リモコンとする）機能が搭載されているものがある。この携帯電話機の赤外線リモコン機能は、携帯電話機のパケット通信機能を利用し、各ユーザが所有しているテレビ及びビデオ等に対応するリモコンデータのファイルをダウンロードして携帯電話機に保存し、そのリモコンデータに基づいてテレビ及びビデオ等を操作している（例えば、特許文献１〜３）。
【０００３】
テレビやビデオ等に付属しているリモコンから送信される信号のデータ構成については統一規格がなく、テレビ及びビデオ等の各機器及びそれらのメーカ毎に異なっている。
【０００４】
【特許文献１】
特開２００１−２３７９２５号公報（第４，５頁、図１）
【特許文献２】
特開２００１−３０９２８８号公報（第６，７頁、図１）
【特許文献３】
特開２００２−２３２９７２号公報（第５〜７頁、図１）
【０００５】
【発明が解決しようとする課題】
上述した従来の携帯電話機では、テレビのチャンネル切替えやビデオの再生・録画・停止の基本的な選択操作を行う時に、一度ダウンロードしたファイルを再度利用することができるため、操作のわずらわしさを感じることはない。
【０００６】
しかしながら、従来の携帯電話機では、日々変化する情報である番組録画予約等を操作するために、毎回、機器情報を設定して番組予約データをダウンロードするため、わずらわしさを感じるという問題がある。
【０００７】
そこで、本発明の目的は上記の問題点を解消し、携帯電話機からのビデオ予約等のリモートコントロールデータ要求時に機器情報の設定を省略することができるリモートコントロールデータ作成装置及びそれに用いるリモートコントロールデータ作成方法を提供することにある。
【０００８】
【課題を解決するための手段】
本発明によるリモートコントロールデータ作成装置は、携帯端末に搭載されたリモートコントロール機能へのリモートコントロールデータを作成するリモートコントロールデータ作成装置であって、前記リモートコントロール機能によるリモートコントロール操作が可能な対象機器の機器情報を前記携帯端末の識別情報に関連付けてデータベースに登録する手段を備えている。
【０００９】
本発明によるリモートコントロールデータ作成方法は、携帯端末に搭載されたリモートコントロール機能へのリモートコントロールデータを作成するリモートコントロールデータ作成装置のリモートコントロールデータ作成方法であって、前記リモートコントロールデータ作成装置側に、前記リモートコントロール機能によるリモートコントロール操作が可能な対象機器の機器情報を前記携帯端末の識別情報に関連付けてデータベースに登録する処理を備えている。
【００１０】
すなわち、本発明のリモートコントロール（以下、リモコンとする）データ作成方法は、予めユーザが利用するビデオ等の機器情報と、サーバで携帯電話機の電話番号情報とを関連付けて登録し、携帯電話機からビデオ予約等のリモコンデータのダウンロード要求時に、サーバに登録してある機器情報を利用してユーザが所有する機器に合ったリモコン信号を作成することを特徴とする。
【００１１】
より具体的に説明すると、本発明のリモコンデータ作成方法では、携帯電話機から利用するビデオ等機器の登録要求があった場合に、電話番号情報と利用するビデオ等機器の機器情報とを携帯電話情報記憶部に登録する。
【００１２】
本発明のリモコンデータ作成方法では、携帯電話機がリモコンデータを要求した時に、電話番号情報をキーワードにして登録されている機器情報を携帯電話情報記憶部から取得し、リモコン信号の詳細なデータ構成をリモコンデータ部から取得し、これらの情報を基に番組データ部から番組データを取得してリモコンデータを作成し、携帯電話機に送信する。
【００１３】
これによって、本発明のリモコンデータ作成方法では、予めユーザが利用するビデオ等の機器情報をサーバで登録し、以降の携帯電話機からのビデオ予約等のリモコンデータ要求時に、機器情報の設定を省略することで、ユーザが利用するビデオ等機器の機器情報を毎回設定する必要がなくなり、操作の簡略化が可能となる。
【００１４】
【発明の実施の形態】
次に、本発明の実施例について図面を参照して説明する。図１は本発明の一実施例による携帯電話機の構成を示すブロック図である。図１において、携帯電話機１はアンテナ１１と、無線部１２と、制御部１３と、ＬＣＤ（Ｌｉｑｕｉｄ  Ｃｒｙｓｔａｌ  Ｄｉｓｐｌａｙ）表示部１６と、操作部１７と、リモートコントロール（以下、リモコンとする）データ変換部１８と、発光素子１９と、音声処理部２０と、レシーバ２１と、マイク２２とから構成され、制御部１３はＣＰＵ（中央処理装置）１４及びメモリ１５等からなる制御回路を備えている。
【００１５】
携帯電話機１は制御部１３の制御によって、無線部１２及びアンテナ１１を介して図示せぬ基地局との間で無線通信を行う。無線部１２はアンテナ１１にて受信した信号を、受信したい信号周波数を選択して周波数変換を行い、それを増幅して復調し、復調した受信データを制御部１３に出力する。
【００１６】
制御部１３は受信データを処理して音声信号を音声処理部２０に出力し、音声処理部２０は音声信号をアナログ信号に変えてレシーバ２１から音声として出力する。また、マイク２２から入力された音声は音声処理部２０にてディジタル信号に変換され、制御部１３はそのディジタル信号を送信データに処理し、無線部１２にて変調し、規定の周波数の搬送波として増幅し、アンテナ１１から基地局への送信を行う。
【００１７】
制御部１３は操作部１７を監視し、ユーザの操作を検出判断し、操作に基づく処理を行う。ＬＣＤ表示部１６は制御部１３の制御によって各種表示を行う。リモコンデータ変換部１８は制御部１３からリモコンデータを入力し、そのデータをリモコン信号へ変換し、発光素子１９へと出力する。発光素子１９は入力した変換後のリモコン信号の図示せぬ対応機器（例えば、テレビやビデオ等の機器）への送信を行う。
【００１８】
メモリ１５は携帯電話機１を制御するプログラムやデータの書込み読込みに利用する記憶領域であり、ＣＰＵ１４はメモリ１５のプログラムをメモリ１５の記憶領域を用いて実行することで、上述した制御部１３の制御を実現する。
【００１９】
図２は本発明の一実施例による赤外線リモコンデータ作成装置であるサーバの構成を示すブロック図である。図２において、サーバ３はサーバ制御部３１と、携帯電話情報記憶部３２と、番組データ部３３と、リモコンデータ部３４とから構成されている。
【００２０】
サーバ制御部３１は携帯電話機１からの要求に対する処理及び携帯電話機１への応答であるデータ送信の機能を有する。携帯電話情報記憶部３２は携帯電話機１とビデオ等の対応機器の機器情報との関連を、電話番号情報をキーワードにして管理する。
【００２１】
番組データ部３３は番組情報を管理しており、要求に応じて一覧表及び詳細情報を携帯電話機１に送信する。リモコンデータ部３４は各対応機器及びメーカ毎に異なるリモコンデータの詳細な情報が登録されている。
【００２２】
図３〜図５は図２のサーバ３の動作を説明するための図である。図３〜図５においては、携帯電話機１とユーザが利用するビデオ等の対応機器との関連を示している。つまり、図３はサーバ３における登録動作を、図４はサーバ３における表示動作を、図５はサーバ３における番組選択動作をそれぞれ示している。
【００２３】
サーバ３は携帯電話機１からユーザが利用するビデオ等の対応機器の登録要求があると（図３の３０１）、電話番号情報とユーザが利用するビデオ等の対応機器の機器情報とを携帯電話情報記憶部３２に登録する（図３の３０２）。
【００２４】
また、サーバ３は携帯電話機１からリモコンデータの表示が要求されると（図４の３１１）、電話番号情報をキーワードにして携帯電話情報記憶部３２に登録されている機器情報を取得し（図５の３１２，３１３）、その情報を携帯電話機１に送信する（図４の３１４）。
【００２５】
さらに、サーバ３は携帯電話機１からリモコンデータが要求されると（図５の３２１）、電話番号情報をキーワードにして携帯電話情報記憶部３２に登録されている機器情報を取得し（図５の３２２，３２３）、リモコン信号の詳細なデータ構成をリモコンデータ部３４から取得する（図５の３２４，３２５）。
【００２６】
サーバ３は番組データ部３３から番組データを取得し（図５の３２６，３２７）、それぞれ取得した情報を基にリモコンデータを作成して携帯電話機１に送信する（図５の３２８）。
【００２７】
これによって、本実施例では、ユーザが利用するビデオ等の対応機器の機器情報を、毎回（リモコンデータを要求する毎に）、設定する必要がなくなり、操作の簡略化を図ることができる。
【００２８】
図６は本発明の一実施例による携帯電話機１からの登録動作を示すシーケンスチャートであり、図７は本発明の一実施例による携帯電話機１における番組リモコンデータダウンロード操作を示すシーケンスチャートである。これら図１〜図やを参照して本発明の一実施例の動作、つまり携帯電話機１とサーバ３とを活用したビデオ予約サービスの動作について説明する。
【００２９】
まず、携帯電話機１から登録動作を行う場合、携帯電話機１は操作部１７からユーザが利用するリモコンの機器情報及びメーカ名等を入力すると、機器情報の登録操作を行う（図６のａ１）。
【００３０】
携帯電話機１の制御部１３は電話番号情報を付加して接続要求することで、図示せぬ通信網に対する通信接続を行う（図６のａ２）。制御部１３はサーバ３側の要求に基づいて無線部１２から機器情報を送信する（図６のａ３）。
【００３１】
サーバ３のサーバ制御部３１は通信接続時に通知された電話番号情報と、送信されてきた機器情報とを関連付けて携帯電話情報記憶部３２に登録する（図６のａ４）。この場合には、携帯電話情報記憶部３２において電話番号情報がキーワードとなる。
【００３２】
続いて、携帯電話機１から番組予約リモコンデータのダウンロード動作を行う場合、携帯電話機１はユーザが操作部１７を操作して番組予約リモコンデータのダウンロードを要求すると、番組一覧情報を要求する（図７のｂ１）。
【００３３】
携帯電話機１の制御部１３は電話番号情報を付加して接続要求することで、通信網に対する通信接続を行う（図７のｂ２）。制御部１３は無線部１２からサーバ３への番組一覧要求を送信する（図７のｂ３）。
【００３４】
サーバ３のサーバ制御部３１は番組一覧要求を受信すると、番組データ部３３に番組一覧要求を送信し（図７のｂ４）、番組データ部３３から番組一覧情報を取得し（図７のｂ５）、その番組一覧情報を携帯電話機１の無線部１２に送信する（図７のｂ６）。
【００３５】
無線部１２がサーバ制御部３１から受信した番組一覧情報を制御部１３へ送信すると（図７のｂ７）、制御部１３はその番組一覧情報をＬＣＤ表示部１６に表示する（図７のｂ８）。
【００３６】
制御部１３はユーザが操作部１７を操作して番組一覧情報の中から録画予約する番組を選択すると（図７のｂ９）、その選択した番組情報を無線部１２を介してサーバ制御部３１へ送信する（図７のｂ１０，ｂ１１）。
【００３７】
サーバ制御部３１は携帯電話機１から番組一覧要求とともに通知されてきた電話番号情報をキーワードに、ユーザが利用する機器情報を携帯電話情報記憶部３２から取得する（図７のｂ１２，ｂ１３）。つまり、サーバ制御部３１は携帯電話情報記憶部３２に対してリモコンデータ構成要求を送ってリモコンデータ構成を取得する。
【００３８】
サーバ制御部３１はこの取得した機器情報に基づいて、リモコン信号の詳細データをリモコンデータ部３４から取得し（図７のｂ１４，ｂ１５）、番組データを番組データ部３３から取得する（図７のｂ１６，ｂ１７）。
【００３９】
サーバ制御部３１はそれぞれ取得した上記の機器情報、リモコン信号の詳細データ、番組データとを組合せてリモコンデータを作成し、そのリモコンデータを携帯電話機１の無線部１２に送信する（図７のｂ１８）。制御部１３はそのリモコンデータを無線部１２から受信する（図７のｂ１９）。
【００４０】
このように、本実施例では、予めビデオ等の対応機器及びメーカ情報等の機器情報を、携帯電話機１の電話番号情報に関連付けてサーバ３に登録することによって、ビデオ予約等のリモコンデータ要求時に、サーバ３に登録してある要求元電話番号情報に関連付けられた機器情報からリモコンデータを作成することができるため、携帯電話機１からのビデオ予約等のリモコンデータを要求する毎に行われていた機器情報の設定を省略することができる。
【００４１】
尚、本実施例では、サーバ３の携帯電話情報記憶部３２への登録時に電話番号情報をキーワードとして使用しているが、携帯電話製造番号等の携帯電話機１固有の識別子、もしくはサーバ３と予め決めたユーザＩＤを利用する場合でも、上記と同様の効果が得られる。
【００４２】
また、本実施例では、サーバ３の携帯電話情報記憶部３２に、１つの携帯電話機１に対して１つの機器情報が登録可能としているが、複数のビデオ等の対応機器を所有しているユーザに対応するため、サーバ３に登録する時のキーワードに昇順番号を追加し、電話番号情報と昇順番号（あるいは降順番号）とをキーワードとして１つの携帯電話機１に対して複数の機器情報を登録可能とすることもできる。
【００４３】
昇順番号は各電話番号情報に対して、それぞれ“１”からの昇順の番号が指定される。始めに、ある携帯電話機１に機器Ａを登録した場合には、昇順番号が“１”になる。同じ携帯電話機１に機器Ｂを登録した場合には、昇順番号が“２”になる。この後、他の携帯電話機に機器Ｃを登録した場合には、昇順番号が“１”となる。
【００４４】
リモコンデータ要求時、要求元電話番号情報に対して登録している機器が複数ある場合には、サーバ３から携帯電話機１に対して登録されている複数の機器情報が通知される。携帯電話機１は操作する機器情報を選択し、サーバ３へ通知して、操作する機器に対応するリモコンデータを取得する。
【００４５】
これによって、複数のビデオ等の対応機器を利用する場合に、予め複数のビデオ等の機器情報を登録することで、毎回操作する機器情報を登録し直すことなく、リモコンデータを要求することが可能になるという効果が得られる。
【００４６】
さらに、本実施例では、ビデオ予約サービスの動作について述べているが、他のリモコン操作可能な機器、例えば伴奏曲やそれに伴う映像を曲名のみで選曲可能なシステムのリモコン操作、演奏曲を曲名によって昇順にあるいはランダムに選曲するシステムのリモコン操作、パーソナルコンピュータ等に搭載されたブラウザによるホームページの閲覧のリモコン操作等、リモコン操作によって操作可能な機器であれば上記以外の機器にも適用することができる。
【００４７】
図８は本発明の他の実施例による携帯電話機における番組リモコンデータダウンロード操作を示すシーケンスチャートである。本発明の他の実施例による携帯電話機及びサーバは上述した図１及び図２に示す本発明の一実施例による携帯電話機１及びサーバ３の構成と同様になっているので、これら図１と図２と図８とを参照して本発明の他の実施例の動作について説明する。尚、図８のｃ１〜ｃ１９の動作は上述した図７のｂ１〜ｂ１９の動作と同様であるので、その動作の説明については省略する。
【００４８】
制御部１３は受信データの録画予約リモコンデータをリモコンデータ変換部１８へ送信する（図８のｃ２０）。リモコンデータ変換部１８は予約リモコンデータをリモコン信号に変換して発光素子１９へ送信する（図８のｃ２１）。発光素子１９はリモコン信号をビデオ装置の受光部（図示せず）へと送信する（図８のｃ２２）。
【００４９】
本発明の一実施例によれば、番組予約等のリモコンデータダウンロード時に機器情報の設定が省略可能となる効果がある。そこで、本発明の他の実施例では、上記の本発明の一実施例の構成において、制御部１３にダウンロードしたリモコンデータを、リモコンデータのダンロードが終了した時点で、リモコンデータ変換部１８に入力する機能を追加する。
【００５０】
これによって、本発明の他の実施例では、ダウンロード操作時にリモコン送信を許可する操作を行ってダウンロードすることで、リモコンデータのダウンロードが終了した時点で、ビデオ等にリモコン送信が可能となるため、リモコンデータダウンロード後、リモコン送信画面に切替える操作を行う必要がなくなり、さらなる操作性の向上を図ることができるという効果がある。
【００５１】
尚、ダウンロード操作時にリモコン送信を許可する操作のかわりに、サーバ３側で作成して表示に使用するＨＴＭＬ（Ｈｙｐｅｒ  Ｔｅｘｔ  Ｍａｒｋｕｐ  Ｌａｎｇｕａｇｅ）記述のタグ情報に、リモコンデータをリモコン送信する命令を割付け、そのタグ情報を選択することで、携帯電話機１がリモコンデータをダウンロードし、ダウンロードが終了した時点で、ビデオ等にリモコン送信しても同様の効果が得られる。
【００５２】
【発明の効果】
以上説明したように本発明は、上記のような構成及び動作とすることで、携帯電話機からのビデオ予約等のリモコンデータ要求時に機器情報の設定を省略することができるという効果が得られる。
【図面の簡単な説明】
【図１】本発明の一実施例による携帯電話機の構成を示すブロック図である。
【図２】本発明の一実施例による赤外線リモコンデータ作成装置であるサーバの構成を示すブロック図である。
【図３】図２のサーバの動作を説明するための図である。
【図４】図２のサーバの動作を説明するための図である。
【図５】図２のサーバの動作を説明するための図である。
【図６】本発明の一実施例による携帯電話機からの登録動作を示すシーケンスチャートである。
【図７】本発明の一実施例による携帯電話機における番組リモコンデータダウンロード操作を示すシーケンスチャートである。
【図８】本発明の他の実施例による携帯電話機における番組リモコンデータダウンロード操作を示すシーケンスチャートである。
【符号の説明】
１  携帯電話機
３  サーバ
１１  アンテナ
１２  無線部
１３  制御部
１４  ＣＰＵ
１５  メモリ
１６  ＬＣＤ表示部
１７  操作部
１８  リモートコントロールデータ変換部
１９  発光素子
２０  音声処理部
２１  レシーバ
２２  マイク
３１  サーバ制御部
３２  携帯電話情報記憶部
３３  番組データ部
３４  リモコンデータ部
【図１】
2004320391.tif 000003
【図２】
2004320391.tif 000004
【図３】
2004320391.tif 000005
【図４】
2004320391.tif 000006
【図５】
2004320391.tif 000007
【図６】
2004320391.tif 000008
【図７】
2004320391.tif 000009
【図８】
2004320391.tif 000010